(57)【要約】【課題】  サウナ使用中の使用者の皮膚の保湿を図るべく、また湿式のサウナ室ではカビの発生も抑制するべく、静電霧化装置付きサウナ室を提供する。【解決手段】  水粒子放出部１と、該水粒子放出部１と対向する対向電極２と、水が供給された水粒子放出部１と対向電極２との間に高電圧を印加する電圧印加部３とを備え、水粒子放出部１と対向電極２との間に高電圧を印加することで水粒子放出部１の水がナノメータサイズの帯電微粒子水を生成する静電霧化装置Ｂを構成する。静電霧化装置Ｂをサウナ室Ａ内に備える。【選択図】        図１
2006061402.tif 000002
【特許請求の範囲】
【請求項１】
水粒子放出部と、該水粒子放出部と対向する対向電極と、水が供給された水粒子放出部と対向電極との間に高電圧を印加する電圧印加部とを備え、水粒子放出部と対向電極との間に高電圧を印加することで水粒子放出部の水がナノメータサイズの帯電微粒子水を生成する静電霧化装置を構成し、上記静電霧化装置をサウナ室内に備えたことを特徴とする静電霧化装置付きサウナ室。
【請求項２】
サウナ室内に備えたサウナ装置の運転と同時に静電霧化装置の運転を行う制御部を設けたことを特徴とする請求項１記載の静電霧化装置付きサウナ室。
【請求項３】
サウナ室内に備えたサウナ装置を、加熱したミストを噴射させる湿式のサウナ装置で構成したことを特徴とする請求項１記載の静電霧化装置付きサウナ室。
【請求項４】
サウナ室内に備えたサウナ装置を、輻射熱を発生させる乾式のサウナ装置で構成したことを特徴とする請求項１記載の静電霧化装置付きサウナ室。
【請求項５】
サウナ装置の運転終了後に静電霧化装置の運転を行う制御部を設けたことを特徴とする請求項３記載の静電霧化装置付きサウナ室。
【請求項６】
静電霧化装置に空気中の水分を結露させることで水の供給を行う結露水生成装置を設けたことを特徴とする請求項１乃至５のいずれかに記載の静電霧化装置付きサウナ室。
【請求項７】
サウナ室内の空気を循環させる空気循環装置に設けた空気流路に上流側から下流側にかけて、空気清浄をするフィルタ、静電霧化装置を順に配置したことを特徴とする請求項６記載の静電霧化装置付きサウナ室。
【発明の詳細な説明】
【技術分野】
【０００１】
本発明は、サウナ室に関するものである。
【背景技術】
【０００２】
従来から、使用者に発汗を促して新陳代謝を向上させるサウナ室には、たとえば特許文献１のような輻射熱で身体を加熱する乾式のサウナ室と、たとえば特許文献２のような加熱したミストで身体を加熱する湿式のサウナ室が知られている。ところで、サウナ室の使用者は発汗するために、皮膚の保水量が低下するという問題があった。殊に、乾式のサウナ室では室内空気も乾燥しているために皮膚の保水量は著しく低下するのであり、また、湿式のサウナ室ではサウナ装置にてミストが発生して室内空気は高湿度状態になるものの、発生したミストのサイズは皮膚の角質間の隙間幅に比べて大きいためにミストは皮膚の内部には浸透することができず、皮膚内部の保水量は低下しているのである。なお、室内が高湿度環境となる湿式のサウナ室では室内にカビなどが発生し易いという問題もあった。
【特許文献１】特開平８−２３８２８９号公報
【特許文献２】特開平１１−１７８８８３号公報
【発明の開示】
【発明が解決しようとする課題】
【０００３】
本発明は上記の従来の問題点に鑑みて発明したものであって、サウナ使用中の使用者の皮膚の保湿を図るべく、また湿式のサウナ室ではカビの発生も抑制するべく、静電霧化装置付きサウナ室を提供することを課題とするものである。
【課題を解決するための手段】
【０００４】
上記課題を解決するために本発明の請求項１に係る静電霧化装置付きサウナ室は、水粒子放出部１と、該水粒子放出部１と対向する対向電極２と、水が供給された水粒子放出部１と対向電極２との間に高電圧を印加する電圧印加部３とを備え、水粒子放出部１と対向電極２との間に高電圧を印加することで水粒子放出部１の水がナノメータサイズの帯電微粒子水を生成する静電霧化装置Ｂを構成し、上記静電霧化装置Ｂをサウナ室Ａ内に備えたことを特徴とする。これによると、静電霧化装置Ｂで生成されたナノメータサイズの帯電微粒子水にあっては、皮膚の角質間の隙間幅よりも粒子径が小さいために皮膚の角質間の隙間から皮膚の内部に浸透することができ、サウナ使用時の使用者の皮膚の保水量を内部から良好に維持することができるのである。
【０００５】
また、請求項２に係る静電霧化装置付きサウナ室は、請求項１において、サウナ室Ａ内に備えたサウナ装置１０の運転と同時に静電霧化装置Ｂの運転を行う制御部１１を設けたことを特徴とする。これによると、制御部１１によってサウナの運転時には静電霧化装置Ｂも同時に運転されるのであり、サウナ使用中の使用者の皮膚の内部には常に静電霧化装置Ｂが生成する帯電微粒子水が浸透され、サウナ使用中の使用者の皮膚の保水量を確実に維持可能にできるのである。
【０００６】
また、請求項３に係る静電霧化装置付きサウナ室は、請求項１において、サウナ室Ａ内に備えたサウナ装置１０を、加熱したミストを噴射させる湿式のサウナ装置１０ａで構成したことを特徴とする。加熱したミストを噴射させる湿式のサウナ装置１０ａを備えた湿式のサウナ室Ａ１内は高湿度環境となってカビなどの雑菌が繁殖し易い環境にある。しかしながら、静電霧化装置Ｂで生成された帯電微粒子水にあっては、反応性の高さゆえに高い除菌効果を発揮するも単独で存在する場合には寿命が短いといった特徴を有する活性種を内在し、つまり活性種が水分子に包みこまれているようにして存在しているため寿命が長くなり、しかも、上記のようにナノメータサイズと非常に小さいので、空気中に長時間浮遊でき且つ拡散性が高くてサウナ室Ａ１の隅々まで行き渡らせることができると共に、サウナ室Ａ１内の壁の内部に付着した際には壁の内部にも入り込むことが可能であるため、サウナ室Ａ１内の空気は勿論のことサウナ室Ａ１の壁の内部にまで除菌効果を働かせることができる。したがって、高湿度環境の湿式のサウナ室Ａ１内で懸念されるカビなどの雑菌の繁殖を有効に抑制できるのである。
【０００７】
また、請求項４に係る静電霧化装置付きサウナ室は、請求項１において、サウナ室Ａ内に備えたサウナ装置１０を、輻射熱を発生させる乾式のサウナ装置１０ｂで構成したことを特徴とする。輻射熱を発生させる乾式のサウナ装置１０ｂを備えた乾式のサウナ室Ａ２の室内空気は乾燥状態となってサウナ使用者の皮膚の保水量は著しく低下するのであるが、静電霧化装置Ｂで生成された帯電微粒子水はサウナ使用者の皮膚の内部にまで浸透して皮膚の保水量を向上させるから、皮膚の保水を特に必要とする使用者に対し、帯電微粒子水による皮膚の保水量の維持効果を有効に働かせることができる。
【０００８】
また、請求項５に係る静電霧化装置付きサウナ室は、請求項３において、サウナ装置１０の運転終了後に静電霧化装置Ｂの運転を行う制御部１１を設けたことを特徴とする。これによると、高湿度の雰囲気が残るサウナ使用後の湿式のサウナ室Ａ１に対して、静電霧化装置Ｂが生成した帯電微粒子水による除菌効果を働かせることができ、カビなどの雑菌の繁殖を有効に抑制できるのである。
【０００９】
また、請求項６に係る静電霧化装置付きサウナ室は、請求項１乃至５のいすれかにおいて、静電霧化装置Ｂに空気中の水分を結露させることで水の供給を行う結露水生成装置７を設けたことを特徴とする。これによると、帯電微粒子水の発生に必要な水を空気中の水分から得ることができるから、帯電微粒子水の発生に必要な水を使用者が静電霧化装置Ｂに適宜供給する手間を省くことができ、静電霧化装置Ｂの使い勝手を大幅に向上させることができる。
【００１０】
また、請求項７に係る静電霧化装置付きサウナ室は、請求項６において、サウナ室Ａ内の空気を循環させる空気循環装置Ｃに設けた空気流路２１に上流側から下流側にかけて、空気清浄をするフィルター２２、静電霧化装置Ｂを順に配置したことを特徴とする。これによると、フィルター２２にて清浄された後の空気から静電霧化装置Ｂの結露水生成装置７によって結露水を得ることができ、つまり清浄後の空気からの清潔な水をもとに帯電微粒子水を発生させることができ、汚れた帯電微粒子水によるサウナ室Ａ内の汚染を防止することができる。
【発明の効果】
【００１１】
本発明は、サウナ室に配設した静電霧化装置で生成するナノメータサイズの帯電微粒子水にあっては、皮膚の角質間の隙間幅よりも粒子径が小さいために皮膚の角質間の隙間から皮膚の内部に浸透することができ、サウナ使用時の使用者の皮膚の保水量を内部から良好に維持できるという利点を有する。
【発明を実施するための最良の形態】
【００１２】
以下、本発明を添付図面に示す実施形態に基いて説明する。
【００１３】
図１乃至図６には本発明の実施の形態の例を示す。本例のサウナ室Ａは、図１乃至３のように、いわゆる乾式のサウナ室Ａ２であって、人一人がサウナを楽しめる家庭用に好適なサイズのものである。このサウナ室Ａは、側板１２ａ、天板１２ｂ、底板１２ｃおよび背板１２ｄで形成される前面に開口せる箱体状のサウナ室本体１２から構成されており、上記前面開口には扉１３が一端を片方の側板１２ａに枢支されて他端がもう片方の側板１２ａに当接するように開閉自在に取り付けられている。このサウナ室本体１２の内部には、輻射熱を発生させる乾式のサウナ装置１０ｂである面ヒーター１４が両側板１２ａおよび背板１２ｄにそれぞれ設けられるとともに、背板１２ｄ側に水平板状の腰掛け椅子１５が備えられている。そして、この腰掛け椅子１５の下方空間には、サウナ室Ａ内の空気を循環させる空気循環装置Ｃであると共に静電霧化装置Ｂが内蔵された空調ユニット１７が、背板１２ｄに沿わせるようにして底板１２ｃに据え置かれて配設されている。また、このサウナ室Ａには、照明取り付けボックス１６や、面ヒーター１４の運転や空調ユニット１７の運転を制御する制御部１１が備えられ、この制御部１１は天板１２ｂ上に載置されて設けられている。
【００１４】
上記空調ユニット１７は、図４のように、ハウジング１８の前面に空気を吸入する吸入口１９が設けられると共にハウジング１８の上面に空気を排出する排出口２０が設けられ、ハウジング１８の内部に形成した吸入口１９から排出口２０を結ぶ空気流路２１には、空気流れの上流側から下流側にかけて、空気洗浄をするフィルター２２、ファン２３、静電霧化装置Ｂが順に配設されて構成されている。ここで、フィルター２２は埃などを取る微細網目層２２ａ、臭い成分を吸着させる活性炭層２２ｂまたは臭い成分を分解させる酸化触媒のハニカム層（図示せず）を積層させて構成されている。
【００１５】
静電霧化装置Ｂは、図５乃至図７のように、一対の電極として機能する水粒子放出部１および対向電極２と、水が供給された水粒子放出部１と対向電極２との間に高電圧を印加する電圧印加部３とを備えたもので、水粒子放出部１と対向電極２との間に高電圧を印加することで水粒子放出部１の水からナノメータサイズの帯電微粒子水Ｍを生成する装置である。
【００１６】
ここで、静電霧化装置Ｂとしてはたとえば図５に示すものが用いられる。この例の静電霧化装置Ｂは、詳しくは、液溜め部４と、下端が液溜め部４内に入れられた水に浸される多孔質材からなる棒状の搬送部５と、これら搬送部５の保持及び水に対する電圧の印加のための液印加電極６と、前記搬送部５の先端部の水粒子放出部１と対向する対向電極２と、上記液印加電極６と対向電極２との間に高電圧を印加する電圧印加部３とからなる。
【００１７】
対向電極２と液印加電極６は共にカーボンのような導電材を混入した合成樹脂やＳＵＳのような金属で形成してある。搬送部５は多孔質材で棒状に形成するもので、本実施形態では粒径が２〜５００μｍのセラミック粒子からなり、その隙間の細孔が１〜２５０μｍで連続気泡状に配置されるように形成してある。搬送部５の上端は針状に尖った水粒子放出部１となっており、搬送部５の上部が液印加電極６よりも上方に突出し、下部が液印加電極６から下方に突出して上記液溜め部４内に入れられた水と接触するようになっている。
【００１８】
対向電極２は接地してあり、液印加電極６に電圧印加部３を接続して高電圧を印加すると共に、多孔質材で形成されている搬送部５が毛細管現象により液溜め部４に入れてある水を吸い上げている時、搬送部５の上端の水粒子放出部１が液印加電極６側の実質的な電極として機能する。電圧印加部３としては、電解強度が５００Ｖ／ｍｍ以上、特に７００〜１２００Ｖ／ｍｍの電解強度を与えることができるものが好ましい。
【００１９】
そして、電圧印加部３により搬送部５と対向電極２との間に高電圧を印加することで、水粒子放出部１の水Ｗが高電圧により大きなエネルギーを受けて表面張力を超えて分裂を繰り返すといういわゆるレイリー分裂を起こしてナノメータサイズの粒子径のイオンのミストＭ（例えば１０〜３０ナノメータ）を発生させる静電霧化がなされ、この時、同時に生成された反応性に富む活性種（ヒドロキシラジカル、スーパーオキサイド等の脱臭・除菌の源となる物質）が、分裂した水に含まれ空気中に飛び出すようにされている。
【００２０】
このようにして、水粒子放出部１から活性種を含んだナノメータサイズの帯電微粒子水を発生させるものである。活性種は非常に反応性に富むため、悪臭成分の分解やカビ発生の抑制に高い効果を発揮するが、その反応性が高いため単独で存在する場合には寿命が短い。しかしながら、静電霧化装置Ｂにより得られるナノメータサイズの帯電微粒子水においては、活性種が水分子に包みこまれているようにして存在しているため寿命が長くなり、しかも、上記のようにナノメータサイズと非常に小さいので空気中に長時間浮遊すると共に拡散性が高く、空間の広い範囲において活性種により空気中の脱臭効果、カビや菌の除菌や繁殖の抑制効果を高めることができる。更に言うと、帯電微粒子水はナノメータサイズと非常に小さいので、壁表面の細孔内部にも入り込むことが可能で、壁面に付着した臭いやカビの除去ができることになる。以下に臭気とナノメータサイズの帯電微粒子水に含まれた活性種の脱臭反応式を示す。
【００２１】
アンモニア          2NH3+6・OH→N2+6H2O
アセトアルデヒド    CH3CHO+6・OH+O2→2CO2+5H2O
酢酸                CH3COOH+4・OH+O2→2CO2+4H2O
メタンガス          CH４+4・OH+Ｏ2→CO2+４H2O
一酸化炭素          CO+2・OH→CO2+H2O
一酸化窒素          2NO+4・OH→N2+2O2+2H2O
ホルムアルデヒド    HCHO+4・OH→CO2+3H2O
なお、上記脱臭反応式において、・OHはヒドロキシラジカルを示す。
【００２２】
ところで、静電霧化装置Ｂで発生される帯電微粒子水には上述したようにカビや菌の除菌や繁殖の抑制効果や脱臭効果があるものの、サウナ室Ａに静電霧化装置Ｂを配設した一番の目的は、帯電微粒子水をサウナ室Ａ内に供給してサウナ使用中の使用者の皮膚の保湿を図ることにある。静電霧化装置Ｂで発生された帯電微粒子水は空調ユニット１７の排出口２０からサウナ室Ａ内に放出されるのであり、この帯電微粒子水はナノメータサイズと非常に小さい水の粒子であって、その粒子径は皮膚の角質間の隙間幅よりも小さいために皮膚の角質間の隙間から皮膚の内部に浸透することができ、サウナ使用時の使用者の皮膚の保水量を内部から良好に維持できるようになっている。
【００２３】
また、静電霧化装置Ｂとしては図６に示すものを用いることも好ましい。図６に示す静電霧化装置Ｂの例では、空気中の水分を結露させることで水粒子放出部１に水を供給する結露水生成装置７を設けている。結露水生成装置７は具体的には放熱部８と冷却部９とを備えたペルチェユニットにて構成されている。ペルチェユニットは、熱伝導性の高いアルミナや窒化アルミニウムから成る絶縁板Ｚの片面側に回路を形成してある一対のペルチェ回路板Ｐ（Ｐ１，Ｐ２）を、互いの回路側が向い合うように対向させ、多数列設してある熱電素子Ｎを両ペルチェ回路板Ｐ１，Ｐ２間で挟持するとともに隣接する熱電素子Ｎ同士を両側の回路で電気的に接続させ、ペルチェ入力リード線Ｌを介してペルチェユニット用電源４０にて為される熱電素子Ｎへの通電により一方のペルチェ回路板Ｐ１側から他方のペルチェ回路板Ｐ２側に向けて熱が移動するように設けたもので、前記一方のペルチェ回路板Ｐ１を冷却部９側に接続するとともに他方のペルチェ回路板Ｐ２を放熱部８側に接続する。本例では図６に示すように、ペルチェ回路板Ｐ２を設けた絶縁板Ｚを放熱部８としての放熱フィン２４に接続するとともに、ペルチェ回路板Ｐ１を設けた絶縁板Ｚを後述する冷却部９に接続するものである。
【００２４】
冷却部９は、内部に結露水Ｗを溜めることができる液溜め部４が形成されるように上方に開口する略皿状に形成してあり、この冷却部９の内部上面に液印加電極６が設けてある。液印加電極６は、上端部が水粒子放出部１となるもので、多孔質材で形成されるか微細孔や微細溝（図６の例では微細孔６ａ）を有しており、その下端部の冷却部９に貯水されている結露水Ｗを毛細管現象にて放電部となる上端部の水粒子放出部１まで搬送可能な搬送部５となるようにしてある。また、水粒子放出部１を金属で形成したり金属製の表面膜を形成したりして表面の熱伝導性を高く形成するとともに冷却部９に熱的に接続されるように取付けることで、水粒子放出部１の表面に直接結露水Ｗを結露させてこの結露水Ｗを静電霧化させてナノメータサイズの帯電微粒子水を発生させるようにしてもよい。またあるいは、上端部が水粒子放出部１となる多孔質セラミック等からなる搬送部５に液印加電極６を設けてもよい。
【００２５】
この図６の静電霧化装置Ｂは帯電微粒子水を生成するための水の供給が自動的に行われることから、帯電微粒子水を生成するための水を液溜め部４に使用者が適宜補給しなければならない図５の静電霧化装置Ｂに比べて、使い勝手が格段に向上するという利点を有している。また、静電霧化装置Ｂは上述のように空気循環装置Ｃである空調ユニット１７の空気流路２１におけるフィルター２２より下流に配設されており、これによってフィルター２２にて清浄された後の空気から結露水生成装置７によって結露水を得ることができ、つまり清浄後の空気からの清潔な水をもとに帯電微粒子水を発生させることが可能とされており、したがって汚染された帯電微粒子水によるサウナ室Ａ内の汚染が防止されているのである。
【００２６】
このように、本例の乾式のサウナ室Ａ２には静電霧化装置Ｂを内蔵した空調ユニット１７が配設され、空調ユニット１７によるサウナ室Ａ内の循環空気にのせて静電霧化装置Ｂで生成した帯電微粒子水をサウナ室Ａ内に放出させているので、帯電微粒子水をサウナ使用時の使用者の皮膚の角質間の隙間から皮膚の内部に浸透させ、サウナ使用時の使用者の皮膚の保水量を内部から良好に維持できるようにしている。詳しくは、元来、乾式のサウナ室Ａ２ではサウナ室Ａの室内空気が乾燥状態になってサウナ使用時の使用者の皮膚の保水量が著しく低下してしまうという問題を有していたが、本例のように乾式のサウナ室Ａ２に静電霧化装置Ｂを配設したことで、皮膚の保水を必要としている使用者に対して有効に皮膚の保水量の向上効果を付与することできたものである。また、本例では制御部１１によって、面ヒーター１５の運転と空調ユニット１７の運転とが同時に行われるようにされているので、サウナ使用時には確実に使用者の皮膚の内部に帯電微粒子水による保水効果を付与できるようにされている。
【００２７】
なお、本例ではサウナ室Ａ１の腰掛け椅子１５の下部空間に空調ユニット１７を配設しているが、空調ユニット１７の配設位置はこれに限らずサウナの使用に邪魔にならない位置であれば任意位置でよい。また、水粒子放出部１からの帯電微粒子水の放射方向は対向電極２と水粒子放出部１との対向方向（矢印Ｄ）と略同方向となるから、本例のような空調ユニット１７の排出口２０の上方近傍に腰掛け椅子１５などの障害物がある場合には、図７の例のように静電霧化装置Ｂの対向電極２と水粒子放出部１とを空調ユニット１７の排出口２０に臨ませると共に対向電極２と水粒子放出部１との対向方向を腰掛け椅子１５などの障害物がその延長線上に無い適宜方向に向けるように形成させて、放射した帯電微粒子水を障害物に当てないように水粒子放出部１からの帯電微粒子水の放射方向を規制するようにしてもよい。
【００２８】
また、図８乃至図１０には本発明の実施の形態の他例を示す。本例のサウナ室Ａは加熱したミストを噴射させる湿式のサウナ装置１０ａを備えた浴室２５にて構成されている。浴室２５内には浴槽２６に隣接するように洗い場２７を設けてあり、洗い場２７の床パンに立ち上がり壁２８を設けてあり、立ち上がり壁２８の上端にカウンター２９を一体に設けてある。カウンター２９の上面には湯水混合水栓のような水栓３０を設置してあり、カウンター２９の後方からは浴室２５の壁面２５ａが立ち上がっている。水栓３０に対応する位置で立ち上がり壁２８の前面側には湿式のサウナ装置１０ａを設置してあり、このサウナ装置１０の前面を覆う前カバー３１を配置してある。なお、前カバー３１は湿式のサウナ装置１０ａの前面側だけでなく上面側も覆うようになっていることが好ましい。この前カバー３１の下部にはミスト吹き出し口３２を設けてあり、ミスト吹き出し口３２から浴室２５内に湿式のサウナ装置１０ａで発生させたミストを吹き出すようにしてある。湿式のサウナ装置１０ａは加熱したミストを噴射させる装置であり、図９のように、ミストノズル３３、ヒータ（図示せず）、電動弁３４、サーモスタット３５、定流量弁３６、止水栓３７、排湯口３８等を有している。この湿式のサウナ装置１０ａによると、ミスト吹き出し口３２からミストが浴室２５内に吹き出され、浴室２５内にミストを充満させた状態でのサウナ浴が行えるようになっている。なお、湿式のサウナ装置１０ａの上面の上には洗面器置き台３９が配置され、ブラケット等で立ち上がり壁２８に取り付けてある。この洗面器置き台３９はカウンター２９の上面より一段低くなっており、洗面器置き台３９上に洗面器を置いたときには洗面器を水栓３０のスパウト３０ａの真下に位置できるようにされている。この浴室２５には先例と同様の静電霧化装置Ｂを内蔵した空調ユニット１７を配置してある。この空調ユニット１７の配置位置は任意であるが、本例では浴水がひっかかりにくいことを期してカウンター２９の後方から立ち上がる浴室２５の壁面２５ａに取り付けてある。なお、湿式のサウナ装置１０ａや空調ユニット１７の運転制御は浴室２５の天井裏などに配置した制御部１１によって行われている（図１０）。この制御部１１による湿式のサウナ装置１０ａや空調ユニット１７の運転制御は、先例同様に湿式のサウナ装置１０ａの運転と同時に空調ユニット１７が運転されることに加え、本例では湿式のサウナ装置１０ａの運転終了後の所定時間は空調ユニット１７が継続して運転されるように制御されている。
【００２９】
このような湿式のサウナ室Ａ１では、湿式のサウナ装置１０ａで加熱したミストを噴射させて室内を高湿度環境とすることでサウナ浴が行われる。この湿式のサウナ室Ａ１でのサウナ浴にあっても、サウナ使用中の使用者は発汗をするために皮膚の保水量は低下する。詳しくは、高湿度環境となった浴室２５内はミストが充満しているためにミストが接触する皮膚の表面の水分にあっては著しく減少するものではないが、このミストは水の粒径が皮膚の角質間の隙間幅に比べて大きいために皮膚の内部にまでは浸透しないのであって、したがってサウナ使用時の使用者の皮膚の内部の保水量は低下しているのである。しかしながら、本例の湿式のサウナ室Ａ１である浴室２５には静電霧化装置Ｂを内蔵した空調ユニット１７が配設され、制御部１１の運転制御によって湿式のサウナ装置１０ａと共に空調ユニット１７が運転され、空調ユニット１７による浴室２５内の循環空気にのせて静電霧化装置Ｂで生成した帯電微粒子水を浴室２５内に放出させているので、制御部１１によってサウナ使用時には確実に空調ユニット１７が運転され、帯電微粒子水をサウナ使用時の使用者の皮膚の内部に浸透でき、サウナ使用時の使用者の皮膚の保水量を内部から良好に維持できるようにされている。
【００３０】
ところで、湿式のサウナ室Ａ１は、加熱したミストを噴射させる湿式のサウナ装置１０ａの運転時には高湿度環境となることから、カビなどの雑菌が繁殖し易い環境にある。しかしながら、本例の湿式のサウナ室Ａ１である浴室２５には静電霧化装置Ｂを内蔵した空調ユニット１７が配設され、空調ユニット１７による浴室２５内の循環空気にのせて静電霧化装置Ｂで生成した帯電微粒子水を浴室２５内に放出させているので、懸念される浴室２５内のカビなどの雑菌の繁殖が抑制されているのである。詳しくは、静電霧化装置Ｂで生成された帯電微粒子水にあっては、反応性の高さゆえに高い除菌効果を発揮するも単独で存在する場合には寿命が短いといった特徴を有する活性種を内在し、つまり活性種が水分子に包みこまれているようにして存在しているため寿命が長くなり、しかも、上記のようにナノメータサイズと非常に小さいので、空気中に長時間浮遊でき且つ拡散性が高くて浴室２５内の隅々まで行き渡らせることができると共に浴室２５内の壁の内部に付着した際には壁の内部にも入り込むことが可能であるため、浴室２５内の空気は勿論のこと浴室２５内の壁などの内部にまで除菌効果を働かせることができる。したがって、湿式のサウナ室Ａ１内で懸念されるカビなどの雑菌の繁殖が有効に抑制されているのである。なお、本例では制御部１１によってサウナ装置１０の運転終了後の所定時間は空調ユニット１７が継続して運転されるので、高湿度の雰囲気が残るサウナ使用後の浴室２５に対しても静電霧化装置Ｂが生成した帯電微粒子水による除菌効果を働かせることができ、カビなどの雑菌の繁殖を有効に抑制させているのである。
【図面の簡単な説明】
【００３１】
【図１】本発明の実施の形態の例のサウナ室の正面断面図である。
【図２】同上の側面断面図である。
【図３】同上の斜視図である。
【図４】同上の空調ユニットの概略側面図である。
【図５】同上の静電霧化装置の例の概略側面図である。
【図６】同上の静電霧化装置の他例の概略側面図である。
【図７】同上の静電霧化装置の更に他例の概略側面図である。
【図８】本発明の実施の形態の他例のサウナ室の要部の斜視図である。
【図９】同上の要部の側断面図である。
【図１０】同上のサウナ室の斜視図である。
【符号の説明】
【００３２】
Ａ  サウナ室
Ａ１  湿式のサウナ室
Ａ２  乾式のサウナ室
Ｂ  静電霧化装置
Ｃ  空気循環装置
１  該水粒子放出部
２  対向電極
３  電圧印加部
７  結露水生成装置
１０  サウナ装置
１０ａ  湿式のサウナ装置
１０ｂ  乾式のサウナ装置
１１  制御部
２１  空気流路
２２  フィルター
【図１】
2006061402.tif 000003
【図２】
2006061402.tif 000004
【図３】
2006061402.tif 000005
【図４】
2006061402.tif 000006
【図５】
2006061402.tif 000007
【図６】
2006061402.tif 000008
【図７】
2006061402.tif 000009
【図８】
2006061402.tif 000010
【図９】
2006061402.tif 000011
【図１０】
2006061402.tif 000012